(57)【特許請求の範囲】
【請求項１】
建物に固定される固定金具に、樋を支持する支持金具を取付けてなる樋受け金具において、上記の固定金具と支持金具のいずれか一方、又は両者を貫通して、ねじ部を上向きにしてボルトを固定し、ねじ孔を有するスリーブの一端部にハンドルを設けてなる押さえ部材を、上記ボルトのねじ部に着脱自在に螺合したことを特徴とする樋受け金具。
【請求項２】
上記の押さえ部材が、上記のスリーブとハンドルとを一体化した一部品からなることを特徴とする請求項１に記載の樋受け金具。
【請求項３】
上記の押さえ部材が、別部品でなる上記のスリーブとハンドルにより構成され、該ハンドルにねじ軸を一体に設け、そのねじ軸を上記スリーブのねじ孔の一端に螺合したことを特徴とする請求項１に記載の樋受け金具。
【請求項４】
建物に固定される固定金具に、樋を支持する支持金具を取付け、上記の固定金具と支持金具のいずれか一方、又は両者を貫通して、ねじ部を上向きにしてボルトを固定してなる樋受け金具に用いられる押さえ部材において、該押さえ部材をねじ孔を有するスリーブの一端にハンドルを設けることにより構成し、該押さえ部材を上記ボルトのねじ部に着脱自在に螺合するようにしたことを特徴とする樋受け金具の押さえ部材。
【請求項５】
上記のハンドルとスリーブとが一体化された一部品からなることを特徴とする請求項４に記載の樋受け金具の押さえ部材。
【請求項６】
上記のハンドルとスリーブとが別部品により構成され、該ハンドルにねじ軸を一体に設け、そのねじ軸を上記スリーブのねじ孔の一端に螺合するようにしたことを特徴とする請求項４に記載の樋受け金具の押さえ部材。
【発明の詳細な説明】
【０００１】
【発明の属する技術分野】
この発明は、樋受け金具とその付属品としての押さえ部材に関するものである。
【０００２】
【従来の技術】
樋受け金具は、建物の軒先に取付けて樋を支持するために用いられる。このような樋を取付けた建物の屋根において、建物近辺の樹木の落ち葉等が樋に落ち込むことを防止するために、樋の上面にメタルラス等でなる金網を張り、その金網を樋受け金具の部分で針金を巻き付けて固定したり、或いはクリップを差し込んで固定したりすることが行なわれる。
【０００３】
また、上記のこととは別に、樋を取付けた建物の軒先の出幅が少ないときは、軒先先端の垂直下方と樋の後端縁との間隔が十分大きくとれないことがある。この場合、軒先から落下する雨水が軒先との間で作用する表面張力の影響や、建物側に吹き付ける風の影響などによって、雨水が建物側へカーブすることにより、樋後端縁から後方に外れて落下することがある。
【０００４】
【発明が解決しようとする課題】
上述の金網については、樋の内底面に溜まった細かいゴミや砂ぼこり等の堆積物を清掃して除去しようとする場合、金網が妨げとなって清掃ができない問題がある。この場合、清掃に先立って金網を予め取外しておくことも考えられるが、前述のように従来は針金やクリップ等でしっかり固定されていたので簡単に取外すことができず、また、たとえ取外したとしても再度固定することは容易なことではなかった。
【０００５】
そこで、この発明は樋受け金具によって上記の金網を簡単に取付け、取外しができるようにするとともに、その構造を利用して雨水が樋後端縁から外れて落下する問題も併せて解決することを課題とする。
【０００６】
【課題を解決するための手段】
上記の課題を解決するために、この発明は、建物に固定される固定金具に、樋を支持する支持金具を取付けてなる樋受け金具において、上記の固定金具と支持金具のいずれか一方、又は両者を貫通して、ねじ部を上向きにしてボルトを固定し、ねじ孔を有するスリーブの一端部にハンドルを設けてなる押さえ部材を、上記ボルトのねじ部に着脱自在に螺合した構成としたものである。
【０００７】
上記の押さえ部材が、上記のスリーブとハンドルとを一体化した一部品からなる構成や、また上記の押さえ部材が、別部品でなる上記のスリーブとハンドルにより構成され、該ハンドルにねじ軸を一体に設け、そのねじ軸を上記スリーブのねじ孔の一端に螺合した構成をとることができる。
【０００８】
また、前述の課題を解決するために、建物に固定される固定金具に、樋を支持する支持金具を取付け、上記の固定金具と支持金具のいずれか一方、又は両者を貫通して、ねじ部を上向きにしてボルトを固定してなる樋受け金具に用いられる押さえ部材において、該押さえ部材をねじ孔を有するスリーブの一端にハンドルを設けることにより構成し、該押さえ部材を上記ボルトのねじ部に着脱自在に螺合するようにした構成とすることができる。
【０００９】
更に、上記のハンドルとスリーブとが一体化された一部品からなる構成や、上記のハンドルとスリーブとが別部品により構成され、該ハンドルにねじ軸を一体に設け、そのねじ軸を上記スリーブのねじ孔の一端に螺合するようにした構成とることができる。
【００１０】
【発明の実施の形態】
以下、この発明の実施形態を添付図面に基づいて説明する。
【００１１】
図１に示した第１実施形態の樋受け具は、帯状の金属板により形成された固定金具１と支持金具２とからなる。固定金具１はその一端部に建物３に取付けるための取付け部４を有し、その取付け部４の上端を外向きに屈曲して上段水平部５が設けられ、その上段水平部５の内端に傾斜屈曲部６を介して、上段水平部５より低い下段水平部７が形成される。
【００１２】
また、支持金具２は、上記の下段水平部７の下面に添えられる水平の中間部８の外端部（建物３から遠い方の端部）に外側樋耳係止部９が設けられ、また中間部８の内端部に傾斜屈曲部１０を介して、前記の上段水平部５の下面に添う水平部１１が設けられる。さらに、その水平部１１の内端を下方に屈曲し下端を内側に折り返して内側樋耳係止部１２が設けられる。
【００１３】
前記の固定金具１の上段水平部５に長孔１３が該固定金具１の長さ方向に設けられ、また支持金具２の中間部８にも同様の長孔１４が設けられる。さらに、中間部８の内端部下面において板ばねにより構成された押さえばね１５が取付けられ、その押さえばね１５の先端は前記の内側樋耳係止部１２の先端に所要の間隙をおいて対向する。
【００１４】
上記の固定金具１の上段水平部５と下段水平部７の下面に、それぞれ支持金具２の水平部１１と中間部８を添わせ、上記の上段水平部５と水平部１１とは、固定金具１の長孔１３に通したリベット１６により相対的なスライドが可能なように結合される。また、下段水平部７と中間部８とは、支持金具２の長孔１４に下方から挿通したボルト１７のねじ部１７’に蝶ナット１８を螺合して固定する。上記のボルト１７のねじ部１７’は比較的長く上方に突出す。
【００１５】
上記のねじ部１７’の上端部に押さえ部材１９が螺合される。押さえ部材１９は、スリーブ２０の上端につば部２１を介して蝶形のハンドル２２を一体に設けたものである。スリーブ２０にはその下端に開放したねじ孔２１’が形成される。
【００１６】
第１実施形態の樋受け金具は以上の如きものであり、樋２３を取付ける際は、予め押さえ部材１９をボルト１７のねじ部１７’から外しておき、固定金具１の取付け部４を釘２４により建物３に固定する。次に、支持金具２を適宜スライドさせて軒先に合わせて出調整を行ない、蝶ナット１８を締結し所定位置に固定する。
【００１７】
次に、樋２３の外側樋耳２５を外側樋耳係止部９に係止し、続いて内側樋耳２６で押さえばね１５を上方に押し上げつつ内側樋耳係止部１２に係止させる。押さえばね１５はそのばね力で元の状態に戻り、内側樋耳２６の外れを防止する。
【００１８】
上記のようにして樋２３の取付けが完了すると、樋２３上に金網２７を展張する。金網２７は樋２３の開口幅とほぼ等しい幅を有するラス網が用いられる。その金網２７を外側樋耳２５と、固定金具１の上段水平部５の上に載せて展張し、展張後押さえ部材１９を金網２７の上方からその網目を通して差し込み、そのねじ孔２１’をボルト１７のねじ部１７’に螺合する。そうすると、金網２７の網目が押さえ部材１９のつば部２１によって押さえられるため、金網２７が樋受け金具に対して取付けられる。
【００１９】
上記のつば部２１を省略して、ハンドル２２で金網２７を押さえるようにしてもよい。
【００２０】
軒先２８から落下する雨水は、金網２７の網目を通して樋内に落下するが、樹木の落ち葉は金網２７に遮られ樋２３内に侵入することがない。樋２３の内部を清掃するときは、押さえ部材１９を取外すことにより金網２７を全部又は部分的に取外して清掃を行い、清掃終了後は再びその金網２７を展張し、押さえ部材１９をボルト１７のねじ部１７’に螺合して元の状態に戻す。
【００２１】
図２（ａ）（ｂ）に示した第２実施形態は、押さえ部材１９の構造において前述のものと相違する。即ち、この場合はスリーブ２０’とハンドル２２’とが別部品であり、この他に座金２９が用いられる。上記のスリーブ２０’はねじ孔２１’が貫通して設けられ、またハンドル２２’はその下端にねじ軸３０が一体に設けられたものである。その他の構成は第１実施形態と同じである。
【００２２】
上記の第２実施形態の場合は、金網２７を展張したのち、その網目を通してスリーブ２０’をボルト１７のねじ部１７’に螺合し、座金２９をねじ軸３０に挿通してこれを上記のスリーブ２０’の上端に螺合する。これにより、金網２７は座金２９により押さえられる。座金２９を省略してハンドル２２’で押さえるようにしてもよい。
【００２３】
図３から図５に示した第３実施形態は、大サイズの樋受け金具に関するものであり、この場合の固定金具１の取付け部４は、その中央部分に外方にコの字形に屈曲して突き出した挟持受け部３１を有し、その挟持受け部３１を取付け板３３に設けた角孔３２に挿通している。上記の挟持受け部３１を角孔３２から前方に突出せしめ、その取付け板３３をスポット溶接により取付け部４に固着している。また固定金具１の下段水平部７の先端に耳押さえ部３４が設けられる。
【００２４】
支持金具２は、中間部８が樋２３の内幅に等しい長さを有し、内端を下向きに屈曲して前記の挟持受け部３１に対向した挟持押さえ部３５が形成され、また外端を上向きに屈曲して外側樋耳係止部９が形成される。この外側樋耳係止部９の上に前記の耳押さえ部３４が臨む。また、中間部８に長手方向の長孔１４が形成される。
【００２５】
上記の支持金具２の中間部８を、固定金具１の下段水平部７の下面に添わせ、上方からコの字形の結合金具３６を下向きにはめている。更に、下方から長孔１４に挿通したボルト１７を固定金具１と結合金具３６に貫通させ、そのねじ部１７’を上方に突出せしめ、その突出部分に蝶ナット１８を螺合している。ねじ部１７’は蝶ナット１８の上方から若干突出する程度の長さを有する。
【００２６】
上記のねじ部１７’に螺合される押さえ部材１９は、スリーブ２０’、座金２９、ねじ軸３０を有するハンドル２２’からなり、前記の第２実施形態と同様に別部品であり（図４参照）、それらの構造も同一である。
【００２７】
なお、図３において、３７は水切り板、３８は建物、３９は屋根である。
【００２８】
第３実施形態の樋受け金具は以上の如きものであり、樋２３を取付ける際は、支持金具２を外方にスライドして（図３の一点鎖線参照）、その支持金具２の外側樋耳系係止部９に外側樋耳２５を係止すると共に、内側樋耳２６を挟持押さえ部３５より高く持ち上げた状態で建物３８側にスライドさせ、内側樋耳２６を挟持押さえ部３５と挟持受け部３１との間で挟持させる。また、耳押さえ部３４により外側樋耳２５の浮き上がりを防止する。
【００２９】
この第３実施形態の場合も、前述の各実施形態と同様に金網を展張してこれを押さえる使用方法もあるが、ここでは水切り板３７の取付けに使用する場合について説明する。
【００３０】
水切り板３７は、屋根３９の軒下からその勾配に沿って樋２３の上方まで下降傾斜して延び出し、樋２３の上部で屈曲され中間水平部４０が形成される、その中間水平部４０に取付け孔４１が設けられる。
【００３１】
上記の水切り板３７を取付ける際は、予めスリーブ２０’をボルト１７のねじ部１７’の上端に螺合しておき、中間水平部４０の取付け孔４１をそのスリーブ２０’上に合致させ、次にハンドル２２’のねじ軸３０を、その取付け孔４１に通すと共にスリーブ２０’のねじ孔２１’に螺合して締付ける。これにより、水切り板３７が樋受け金具に固定される。
【００３２】
上記の水切り板３７は、建物３８の軒先２８から落下する雨水をその下端まで案内し、雨水が樋２３の後端縁から外方に外れて落下することを防止する。
【００３３】
【発明の効果】
以上のように、この発明によると、樋受け金具のボルトのねじ部に押さえ部材を着脱自在に取付けることにより、落ち葉除けのための金網や水切り板を簡単に取付け或いは取外すことができる便利さがある。
【図面の簡単な説明】
【図１】（ａ）第１実施形態の使用時における断面図
（ｂ）同上の押さえ部材の斜視図
【図２】（ａ）第２実施形態の使用状態における一部断面図
（ｂ）同上の押さえ部材の分解斜視図
【図３】第３実施形態の使用状態における断面図
【図４】同上の分解斜視図
【図５】同上の一部断面図
【符号の説明】
１  固定金具
２  支持金具
３  建物
４  取付け部
４  上段水平部
６  傾斜屈曲部
７  下段水平部
８  中間部
９  外側樋係止部
１０  傾斜屈曲部
１１  水平部
１２  内側樋耳係止部
１３  長孔
１４  長孔
１５  押さえばね
１６  リベット
１７  ボルト
１８  蝶ナット
１９  押さえばね
２０、２０’  スリーブ
２１  つば部
２１’  ねじ孔
２２、２２’  ハンドル
２３  樋
２４  釘
２５  外側樋耳
２６  内側樋耳
２７  金網
２８  軒先
２９  座金
３０  ねじ軸
３１  挟持受け部
３２  角孔
３３  取付け板
３４  耳押さえ部
３５  挟持押さえ部
３６  結合金具
３７  水切り板
３８  建物
３９  屋根
４０  中間水平部
４１  取付け孔
【図１】
0004086968.tif 000002
【図２】
0004086968.tif 000003
【図３】
0004086968.tif 000004
【図４】
0004086968.tif 000005
【図５】
0004086968.tif 000006